(57)【要約】【課題】包装材に内容物が収容されてシールされた被検査物に対し、外形から内側方向へシールのばらつきがあってもシール不良を検出する。【解決手段】    包装材Ｗｐに内容物Ｗａが矩形状に収容される少なくとも一辺がシールされた被検査物Ｗを検査するにあたって、透過画像における内容物Ｗａの輪郭の、包装材Ｗｐのシールされた辺と対向する第１の部分から得られる基準直線Ｌ１と、該シールされた辺または内容物Ｗａの輪郭の第２の部分から得られる参照直線Ｌ２との傾きに基づいて、シール不良の有無を判別する。【選択図】図１
2018141737.tif 000002
【特許請求の範囲】
【請求項１】
包装材（Ｗｐ）に内容物（Ｗａ）が矩形状に収容される少なくとも一辺がシールされた被検査物（Ｗ）を搬送しながらＸ線を照射し、前記被検査物を透過したＸ線の透過画像を用いて前記被検査物のシール不良の有無を検査するＸ線検査装置（１）において、
前記透過画像における前記内容物の輪郭の、前記包装材のシールされた辺と対向する第１の部分から得られる基準直線（Ｌ１）と、該シールされた辺または前記内容物の輪郭の第２の部分から得られる参照直線（Ｌ２）との傾きに基づいて、シール不良の有無を判別する信号処理部（６）を備えたことを特徴とするＸ線検査装置。
【請求項２】
前記透過画像における前記シールされた辺の長さ方向を分割するための分割領域を設定する分割領域設定手段（２０ｂ）を備え、
前記信号処理部が、前記分割領域設定手段により設定された分割領域毎にシール不良の有無を判別することを特徴とする請求項１に記載のＸ線検査装置。
【請求項３】
前記信号処理部が、前記透過画像における前記内容物の輪郭について直線近似して前記基準直線を含む近似直線を算出する外郭直線算出手段（１４ａ）と、
前記基準直線と前記参照直線との傾きを算出する傾き算出手段（１６）と、
前記傾き算出手段にて出した傾きが許容範囲内にあるか否かによりシール不良の有無を判別するシール不良判別手段（１６）と、を備えたことを特徴とする請求項１または請求項２に記載のＸ線検査装置。
【請求項４】
前記傾き算出手段が、前記基準直線とシール部分を挟んで対向する前記包装材の辺を前記参照直線として傾きを算出することを特徴とする請求項３に記載のＸ線検査装置。
【請求項５】
前記傾き算出手段が、前記基準直線と接する前記外郭直線算出手段が算出する近似直線を前記参照直線とし、前記基準直線と前記参照直線がなす内角を算出することを特徴とする請求項３に記載のＸ線検査装置。
【請求項６】
前記シール不良の検査を対象外とするシール検査外領域を設定するシール検査外領域設定手段（２０ａ）を備え、
前記外郭直線算出手段が、前記内容物の輪郭から前記シール検査外領域を除いて直線近似し、近似直線を算出することを特徴とする請求項３から請求項５のいずれか１項に記載のＸ線検査装置。
【請求項７】
包装材（Ｗｐ）に内容物（Ｗａ）が矩形状に収容される少なくとも一辺がシールされた被検査物（Ｗ）を搬送しながらＸ線を照射し、前記被検査物を透過したＸ線の透過画像を用いて前記被検査物のシール不良の有無を検査するＸ線検査装置（１）において、
前記透過画像における前記内容物の輪郭の、前記包装材のシールされた辺と対向する第１の部分から基準直線（Ｌ１）を算出するステップと、
前記基準直線と該シールされた辺または前記内容物の輪郭の第２の部分から得られる参照直線（Ｌ２）との傾きを算出するステップと、
算出された傾きが許容範囲内にあるか否かによりシール不良の有無を判別するステップとを含むことを特徴とするＸ線検査方法。
【発明の詳細な説明】
【技術分野】
【０００１】
本発明は、搬送される被検査物にＸ線を照射し、このＸ線を照射したときのＸ線の透過画像を用いて被検査物のシール不良の検査を行うＸ線検査装置及びＸ線検査方法に関する。
【背景技術】
【０００２】
Ｘ線検査装置は、例えば、生肉、魚、加工食品、医薬などを被検査物とし、被検査物にＸ線を照射したときのＸ線の透過画像を用いて被検査物の検査を行う装置として従来から知られている
【０００３】
そして、この種のＸ線検査装置として、例えば下記特許文献１に開示されるＸ線検査装置では、被検査物にＸ線を曝射したときの透過画像から外形を抽出し、この抽出した外形を基準として、予め設定されたシール部情報に基づいて被検査物のシール部領域を算出し、この算出したシール部領域の画像の濃度レベルを用いてシール不良の検査を行っている。
【先行技術文献】
【特許文献】
【０００４】
【特許文献１】特開２００５−０２４５４９号公報
【発明の開示】
【発明が解決しようとする課題】
【０００５】
しかしながら、被検査物はシール機により包装材を溶着等の熱接着でシールされるが、そのシールされた被検査物のシール部分（接着部分）に、大きさのばらつきが生じることがある。このため、外形を基準としてシール部領域を算出し、この算出したシール部領域の画像の濃度レベルを用いてシール不良の検査を行う特許文献１のＸ線検査装置では、接着のばらつきにより、シール不良の誤判別やシール不良の見逃しの恐れがあるという問題があった。
【０００６】
例えば、被検査物の外形から内側に薄くシールされる場合には、正常にシールされているにも関わらず、内容物がシール領域に入るため不良と判断してしまう。また、被検査物外形から内側に厚くシールされる場合には、実際のシールされた領域が、検査するシール領域より大きくなるため、シール不良の検査が行われない個所が発生し、噛み込み等のシール不良を見逃してしまう。
【０００７】
一方で、矩形状にシールされる包装材に、例えば液体やゲル状の内容物を充填した被検査物や、液体が浸みこんだシート状の内容物を収容した被検査物の場合には、内容物が隙間なく収容されるため、実際のシールされた領域とその周辺の内容物を切り分けることが比較的容易であることがサンプル実験からわかってきた。
【０００８】
そこで、本発明は、上述のような状況を鑑みてなされたもので、包装材に矩形状に内容物が収容される被検査物のシール不良の検査において、包装材の外形から内側方向へシールの大きさにばらつきがあっても、シール不良を検出できるＸ線検査装置及びＸ線検査方法を提供することを目的としている。
【０００９】
上記目的を達成するため、本発明に係るＸ線検査装置は、包装材に内容物が矩形状に収容される少なくとも一辺がシールされた矩形状の被検査物を搬送しながらＸ線を照射し、前記被検査物を透過したＸ線の透過画像を用いて前記被検査物のシール不良の有無を検査するＸ線検査装置において、前記透過画像における前記内容物の輪郭の、前記包装材のシールされた辺と対向する第１の部分から得られる基準直線と、該シールされた辺または前記内容物の輪郭の第２の部分から得られる参照直線との傾きに基づいて、シール不良の有無を判別する信号処理部を備えたことを特徴とする。
【００１０】
また、本発明に係るＸ線検査装置において、前記透過画像における前記シールされた辺の長さ方向を分割するための分割領域を設定する分割領域設定手段を備え、前記信号処理部が、前記分割領域設定手段により設定された分割領域毎にシール不良の有無を判別することを特徴とする。
【００１１】
また、本発明に係るＸ線検査装置において、前記信号処理部が、前記透過画像における前記内容物の輪郭について直線近似して前記基準直線を含む近似直線を算出する外郭直線算出手段と、前記基準直線と前記参照直線との傾きを算出する傾き算出手段と、前記傾き算出手段にて算出した傾きが許容範囲内にあるか否かによりシール不良の有無を判別するシール不良判別手段と、を備えたことを特徴とする。
【００１２】
また、本発明に係るＸ線検査装置において、前記傾き算出手段が、前記基準直線とシール部分を挟んで対向する前記包装材の辺を前記参照直線として傾きを算出することを特徴とする。
【００１３】
また、本発明に係るＸ線検査装置において、前記傾き算出手段が、前記基準直線と接する前記外郭直線算出手段が算出する近似直線を前記参照直線とし、前記基準直線と前記参照直線がなす内角を算出することを特徴とする。
【００１４】
また、本発明に係るＸ線検査装置において、前記シール不良の検査を対象外とするシール検査外領域を設定するシール検査外領域設定手段を備え、前記外郭直線算出手段が、前記内容物の輪郭から前記シール検査外領域を除いて直線近似し、近似直線を算出することを特徴とする。
【００１５】
また、本発明に係るＸ線検査方法は、包装材に内容物が矩形状に収容される少なくとも一辺がシールされた被検査物を搬送しながらＸ線を照射し、前記被検査物を透過したＸ線の透過画像を用いて前記被検査物のシール不良の有無を検査するＸ線検査装置において、  前記透過画像における前記内容物の輪郭の、前記包装材のシールされた辺と対向する第１の部分から基準直線を算出するステップと、前記基準直線と該シールされた辺または前記内容物の輪郭の第２の部分から得られる参照直線との傾きを算出するステップと、算出された傾きが許容範囲内にあるか否かによりシール不良の有無を判別するステップとを含むことを特徴とする。
【発明の効果】
【００１６】
本発明によれば、包装材に内容物が収容されてシールするときに、包装材の外形から内側方向へシールの大きさにばらつきがあっても、シール不良を検出することができる。
【図面の簡単な説明】
【００１７】
【図１】本発明に係るＸ線検査装置の概略構成を示すブロック図である
【図２】本発明に係るＸ線検査装置を用いて被検査物のシール不良の有無を判別する場合の概略フローチャートである。
【図３】（ａ）〜（ｃ）被検査物における基準直線と参照直線との傾きの一例を示す図である。
【図４】（ａ）〜（ｄ）被検査物における基準直線と参照直線との傾きの他の例を示す図である。
【図５】（ａ）〜（ｃ）分割領域を設定した基準直線と参照直線との傾きの一例を示す図である。
【図６】（ａ）、（ｂ）シール検査外領域を設定した基準直線と参照直線との傾きの一例を示す図である。
【発明を実施するための形態】
【００１８】
以下、本発明を実施するための形態について、添付した図面を参照しながら詳細に説明する。
【００１９】
本発明に係るＸ線検査装置は、例えば搬送ラインの一部に組み込まれ、一定間隔おきに順次搬送されてくる被検査物（物品）に対し、包装材に包装された内容物のシール部分への噛み込み等によるシール不良の有無を検査するものである。
【００２０】
被検査物Ｗは、図３（ａ）に示すように、袋状の包装材Ｗｐの１辺をなす開口から内容物Ｗａが隙間なく充填され、上部開口が封止されてシールされたものや、図４（ａ）に示すように、矩形状の包装材Ｗｐの複数の辺がシール（図では４方向）されたもので、内容物Ｗａが隙間なく矩形状に収容される製品を検査対象としている。
【００２１】
図１に示すように、本実施の形態のＸ線検査装置１は、搬送装置２、Ｘ線発生器３、Ｘ線検出器４、設定入力部５、信号処理部６、表示部７を含んで概略構成され、被検査物Ｗの包装材Ｗｐのシールされる辺（以下、シール辺という）側のシール不良の検査、すなわち、包装材Ｗｐのシールされた領域が斜めであったり、内容物Ｗａを噛み込んでいるなどのシール不良の有無を検査する。
【００２２】
搬送装置２は、検査対象の被検査物Ｗを搬送路上で所定間隔おきに順次搬送するもので、例えば装置本体に対して水平に配置されたベルトコンベアで構成される。
【００２３】
搬送装置としてのベルトコンベア２は、Ｘ線を透過しやすい材料（原子量の大きい元素以外の元素）からなる搬送ベルト２ａを備え、被検査物Ｗの検査を行うときに、不図示の搬送制御手段の制御に基づく駆動モータＭの回転により予め設定入力部５にて設定される搬送速度で搬送ベルト２ａを駆動する。これにより、搬入口から搬入された被検査物Ｗは、搬出口側に向けて図１の搬送方向Ｘに搬送される。
【００２４】
Ｘ線発生器３は、搬入口から搬出口に向かって搬送方向Ｘに搬送路上を搬送される被検査物ＷにＸ線を照射するもので、電圧を印可して加速させた電子をターゲットに射突させてＸ線を発生させる円筒状のＸ線管と、Ｘ線管が発生させたＸ線をＸ線検出器４に向けて照射するための照射スリットとを有する。
【００２５】
Ｘ線管は、例えば金属製の箱体内部に設けられる円筒状のＸ線管を絶縁油により浸漬した構成であり、Ｘ線管の陰極からの電子ビームを陽極ターゲットに照射させてＸ線を生成する。Ｘ線管は、その長手方向が被検査物Ｗの搬送方向（図１のＸ方向）の平面上で直交する方向に設けられ、生成したＸ線を、下方のＸ線検出器４に向けて、長手方向に沿った照射スリットによりスクリーン状にして照射する。
【００２６】
Ｘ線検出器４は、搬送される被検査物Ｗの搬送方向Ｘの平面上で搬送方向Ｘと直交する方向に複数の素子が一直線上に配置されたものである。さらに説明すると、Ｘ線検出器４は、ライン状に整列して配設された複数のフォトダイオードと、ライン状のフォトダイオード上に設けられたシンチレータとを備えてアレイ状に構成される。
【００２７】
Ｘ線検出器４は、複数の素子（フォトダイオードとシンチレータのアレイ）によって被検査物Ｗおよび搬送ベルト２ａを透過するＸ線を検出し、この検出した検出データを素子毎に複数の素子数を１ラインとして信号処理部６に順次出力し、被検査物Ｗの搬送に伴い順次出力を繰り返す。
【００２８】
設定入力部５は、装置本体に設けられる例えばキー、押しボタン、スイッチ、表示部７の表示画面上のソフトキーなどで構成される。設定入力部５は、被検査物Ｗのシール不良の検査を行うにあたって、図３（ｂ）や図４（ｂ）に示す被検査物Ｗの外形領域Ｓ１を抽出するための閾値、内容物領域Ｓ２を抽出するための閾値、シール不良の判別基準となる許容範囲のリミット値を被検査物Ｗの品種や異物の種類などに応じて適宜設定して信号処理部６の後述する記憶手段１１に記憶する際に操作される。  
【００２９】
また、設定入力部５は、搬送装置２の搬送ベルト２ａの搬送速度の設定、被検査物Ｗのシール辺の数と位置、シール検査領域の分割数、シール検査外領域の寸法などのシール不良の検査に関する各種情報を設定して信号処理部６の記憶手段１１に記憶する際に操作される。
【００３０】
信号処理部６は、図１に示すように、記憶手段１１、外形領域抽出手段１２、内容物領域抽出手段１３、直線算出手段１４、傾き算出手段１５、シール不良判別手段１６、領域設定手段２０を含んで構成される。
【００３１】
記憶手段１１は、Ｘ線検出器４からの各被検査物Ｗ毎のＸ線透過データを記憶する。Ｘ線透過データは、Ｘ線検出器４からの電気信号を不図示のＡ／Ｄ変換器によりＡ／Ｄ変換して得られる。さらに説明すると、記憶手段１１は、１つの被検査物Ｗの検査を行う毎に、Ｘ線検出器４の１ライン（Ｙ方向）あたり例えば数百個のＸ線透過データを、少なくとも搬送される被検査物Ｗの搬送方向の長さ（前端から後端までの検出期間に相当）に対応した所定ライン数（例えば数百ライン）だけ格納する。
【００３２】
外形領域抽出手段１２は、記憶手段６ａに格納されたＸ線透過データから透過量が大きいほど淡いとした濃淡値に対応する濃度レベルをもつ全体の透過画像（被検査物Ｗとベルト面を含む画像）を作成し、この作成した全体の透過画像から設定入力部５に設定される閾値以上の濃度レベルの透過画像を包装材Ｗｐの外形領域（例えば、図４（ｂ）に示す被検査物Ｗの輪郭から内側の面積を示す領域）Ｓ１として抽出する。
【００３３】
なお、外形領域抽出手段１２は、記憶手段６ａに格納されたＸ線透過データから作成した全体の透過画像の全体の濃度ヒストグラムを求め、求めた濃度ヒストグラムから被検査物Ｗのデータと被検査物Ｗ以外（ベルト面）のデータとに切り分けて２値化し、例えば全体の濃度ヒストグラムにおいて、被検査物のデータを２５５、被検査物以外のデータを０としてデータを２値化し、２値化したデータのうち被検査物Ｗのデータを包装材Ｗｐの外形領域Ｓ１として抽出することもできる。
【００３４】
内容物領域抽出手段１３は、設定入力部５にて設定された閾値を用い、外形領域Ｓ１内の透過画像から閾値を超える濃度レベルの透過画像を被検査物Ｗの内容物Ｗａと対応する内容物領域（例えば、図４（ｂ）に示す内容物の輪郭から内側の面積を示す領域）Ｓ２として抽出する。また、内容物領域抽出手段１３は、外形領域Ｓ１の抽出処理と並行して、設定入力部５にて設定された閾値を超える濃度レベルの透過画像を被検査物Ｗの内容物Ｗａと対応する内容物領域Ｓ２として抽出してもよい。
【００３５】
直線算出手段１４は、傾きを求めるための基準直線Ｌ１と参照直線Ｌ２を算出するものであり、内容物領域抽出手段１３にて抽出した内容物領域Ｓ２に基づいて透過画像の内容物Ｗａの外側の輪郭である外郭の直線を算出する外郭直線算出手段１４ａを有し、設定入力部５にて設定された被検査物Ｗのシール辺の数と位置、直線の情報を用いて、外形領域抽出手段１２にて抽出した外形領域Ｓ１の外形から参照直線Ｌ２を算出し、外郭直線算出手段１４ａから基準直線Ｌ１と参照直線Ｌ２を算出する。
【００３６】
直線算出手段１４は、参照直線Ｌ２をシール辺とする場合は、外形領域抽出手段１２にて抽出した外形領域Ｓ１の外形から対象となるシール辺を参照直線Ｌ２として算出する。また、参照直線Ｌ２を基準直線Ｌ１に接する直線とする場合は、外郭直線算出手段１４ａにて参照直線Ｌ２を算出する。なお、後述する領域設定手段によって領域設定が有る場合には、その設定により制限された領域内で各直線を算出する。
【００３７】
外郭直線算出手段１４ａは、内容物領域抽出手段１３にて抽出した内容物領域Ｓ２の外側の輪郭を直線近似して、近似直線を必要な数だけ算出する。例えば、シール不良の検査をシール辺を用いて１辺だけ行う場合は、シール側の内容物Ｗａの外郭について近似直線を算出し、シール不良の検査を４辺行う場合は、包装材Ｗｐの４辺に対応する内容物Ｗａの外郭の近似直線を算出する。
【００３８】
外郭直線算出手段１４ａは、内容物Ｗａが隙間なく収容される被検査物Ｗから内容物領域抽出手段１３にて抽出した内容物領域Ｓ２は矩形状となるので、この矩形の４つの頂点に接する各辺に対応する外郭に対して直線近似を行う。そして、外郭を構成する点群（画素の集まり）について直線との距離の総和が最少となる直線を求める最小二乗近似を用いて近似直線を算出する。
【００３９】
なお、近似直線の算出は、内容物領域Ｓ２の４隅付近の外郭を構成する点がどちらの辺になるかはっきりと表れない場合があるので、包装材Ｗｐのシール辺の頂点から所定量（または、所定割合）内側に入った位置に対応する内容物の外郭の位置を直線探索の始点と終点として近似直線を算出するが好ましい。
【００４０】
また、近似直線の取得にあたっては、内容物領域Ｓ２を矩形としたときの各辺を基にして、検査対象のシール辺側の辺に対応する外郭が第１の部分となり、第１の部分を持つ辺に接する他の辺に対応する外郭が第２の部分となる。
【００４１】
傾き算出手段１５は、  直線算出手段１４にて算出した基準直線Ｌ１と参照直線Ｌ２から、基準直線Ｌ１と参照直線Ｌ２との傾きを算出する。なお、傾きの算出は、基準直線Ｌ１と参照直線Ｌ２の直線の方程式から、通常の数学的な算出方式で、例えば、一方をＸ軸とした直線の係数や２本の直線の交点の角度を求めて算出することができる。
【００４２】
また、傾きを角度とした場合は、直線から三角関数を用いて角度を求めるが、三角関数（例えば、正接）を用いた角度の算出は、変換テーブルを用いるのが好ましい。
【００４３】
シール不良判別手段１６は、傾き算出手段１５にて算出した傾きに対し、設定入力部５にて設定されたシール不良を判定するための情報として例えば角度の許容範囲のリミット値を用い、傾きがこのリミット値を超える角度であるか否かによりシール不良の有無を判別する。
【００４４】
領域設定手段２０は、シール検査外領域設定手段２０ａと、分割領域設定手段２０ｂを有し、設定入力部５にて設定された領域に関する情報に基づいて、透過画像上の処理領域を制限するための領域を設定する。
【００４５】
シール検査外領域設定手段２０ａは、設定入力部５にて設定されたシール検査外領域の寸法（例えば、下方からの長さや、割合い）から外形領域抽出手段１２にて抽出した外形領域Ｓ１対してシール検査外領域を設定し、設定されたシール検査外領域を除いた領域において、直線算出手段１４による基準直線Ｌ１と参照直線Ｌ２の算出と、算出した直線同士の傾きによる判別がシール不良判別手段１６にて行われる。
【００４６】
シール検査外領域設定手段２０ａは、例えば、包装材Ｗｐの下側と両サイドの下方７割がシール済みの状態であり、このような状態で内容物Ｗａが充填されるような被検査物Ｗに対して設定するのが好ましい。このような被検査物Ｗでは、包装材Ｗｐの下方７割のシール済み箇所でシール噛み込みが起きることが無く、シール不良の検査は不要となる。したがって、シール検査外領域を設定することにより、処理時間短縮や、不要な個所における誤検出を無くして検査精度を向上させることができる。
【００４７】
分割領域設定手段２０ｂは、外形領域抽出手段１２にて抽出した外形領域Ｓ１の外形を設定入力部５にて設定された分割数で分割した分割領域を設定し、設定された分割領域毎に、直線算出手段１４による基準直線Ｌ１と参照直線Ｌ２の算出と、算出した直線同士の傾きによる判別がシール不良判別手段１６にて行われる。
【００４８】
分割領域設定手段２０ｂは、例えば、シール辺の中間付近に噛み込みがあるが、基準直線とシール辺と傾きが僅かであるような場合に設定するのが好ましい。これは、中間付近の噛み込みによる小さな凸部が、直線近似によって吸収された近似直線となり、シール辺とほぼ平行となってしまうことがあるからである。このような場合には、凸部付近で領域を仕切ることで、傾きを際立たせることができ、検査精度を向上させることができる。
【００４９】
表示部７は、例えば液晶表示器などの表示装置で構成され、外形領域Ｓ１、内容物領域Ｓ２含む被検査物Ｗの全体画像、判別結果に基づく被検査物Ｗを平面視したＸ線透過画像、「ＯＫ」や「ＮＧ」の良否判定結果、総検査数、良品数、ＮＧ総数などの検査結果を設定入力部５の操作に基づいて表示画面に表示する。
【００５０】
次に、上記のように構成されるＸ線検査装置１を用いて被検査物Ｗのシール不良の有無を判別する動作について図２のフローチャートを用いて説明する。なお、ここでは、１つのシール辺に対して傾きを求めてシール不良の有無の判別を行う場合を示し、領域設定手段２０による領域設定は無いものとする。
【００５１】
まず、記憶手段１１に記憶されたＸ線透過データによる透過画像から被検査物Ｗの包装材の外形領域Ｓ１を外形領域抽出手段１２にて抽出する（ＳＴ１）。また、記憶手段１１に記憶されたＸ線透過データによる透過画像から内容物領域Ｓ２を内容物領域抽出手段１３にて抽出する（ＳＴ２）。
【００５２】
次いで、設定入力部５にて設定された被検査物Ｗのシール辺の位置の情報と外形領域Ｓ１からシール辺を特定する（ＳＴ３）。次いで、特定したシール辺から参照直線Ｌ２と、シール辺に対応する内容物の外郭から基準直線Ｌ１とを直線算出手段１４にて算出する（ＳＴ４）。さらに、算出した基準直線Ｌ１と参照直線Ｌ２との傾きを傾き算出手段１５にて算出する（ＳＴ５）。そして、算出した傾きをシール不良判別手段１６にて判別し（ＳＴ６）、判別処理を終了する。
【００５３】
なお、検査するシール辺が複数ある場合は、ＳＴ３〜ＳＴ６をシール辺の数だけ繰り返すことにより、被検査物全体のシール不良の有無を判別することができる。また、分割領域設定手段による領域設定が有る場合は、設定された分割領域毎に、ＳＴ３〜ＳＴ６を実施する。
【００５４】
次に、上述した傾き算出手段１５にて傾きを算出する具体例（例１）として、図３（ａ）に示すような、シール辺が１辺のみの長方形状の包装材Ｗｐに内容物が隙間なく充填された透過画像が抽出された場合を例に、図３（ｂ）、（ｃ）を参照して説明する。なお、図３（ａ）の透過画像は、シールすべき箇所の一部に内容物がはみ出した凸部Ｐ１があるシール不良を示している。
【００５５】
［例１］…  図３（ｂ）に示すように、シール辺を参照直線Ｌ２として直線の方程式を算出する。また、外郭直線算出手段１４ａにて算出した基準直線Ｌ１の方程式を求める。そして、基準直線Ｌ１と参照直線Ｌ２の直線の方程式から基準直線Ｌ１と参照直線Ｌ２の交点とその交点の角度を求める。
【００５６】
なお、図３（ｃ）に示すように、参照直線Ｌ２のシール辺をシール辺と垂直な方向に基準直線Ｌ１の端点が接するまで平行移動する。そして、平行移動してできるＬ１を斜辺とした直角三角形から角度θを算出するようにしてもよい。
【００５７】
次に、傾き算出手段１５にて傾きを算出する具体例（例２、例３）として、図４（ａ）に示すような、例えば４方がシールされた複数のシール辺を持つ長方形状の包装材Ｗｐに内容物Ｗａが隙間なく収容された被検査部Ｗの透過画像が抽出された場合を例に、図４（ｂ）、（ｃ）、（ｄ）を参照して説明する。なお、図４（ａ）の透過画像は、斜めにシールされて内容物Ｗａが収容されたシール不良を示しており、例えば、シール機に対して斜めに包装材Ｗｐがセッティングされたときに起こる不良である。
【００５８】
外形領域抽出手段１２にて抽出した外形領域Ｓ１において、４つの頂点のうち、左上頂点をＡとし、右周りに各頂点をＢ，Ｃ，Ｄとする。また、各シール辺は、辺ＡＢ、辺ＢＣ、辺ＣＤ、辺ＤＡとし、そのうちの辺ＡＢについて説明し、辺ＢＣ、辺ＣＤ、辺ＤＡは、同様となる。
【００５９】
［例２］…図４（ｂ）に示すように、検査対象のシール辺を参照直線Ｌ２として直線の方程式を算出する。また、外郭直線算出手段１４ａにて算出した基準直線Ｌ１の方程式を求める。そして、基準直線Ｌ１と参照直線Ｌ２の直線の方程式から基準直線Ｌ１と参照直線Ｌ２の交点とその交点の角度を求める。
【００６０】
なお、図４（ｃ）に示すように、参照直線Ｌ２のシール辺をシール辺と垂直な方向に基準直線Ｌ１の端点が接するまで平行移動する。そして、平行移動してできるＬ１を斜辺とした直角三角形から角度θを算出するようにしてもよい。
【００６１】
［例３］…傾きを内容物Ｗａの内角から求める例であり、図４（ｄ）に示すように、外郭直線算出手段１４ａにて算出した検査対象のシール辺に対応する直線を基準直線Ｌ１とし、外郭直線算出手段１４ａにて算出する基準直線Ｌ１の両端に接する内容物Ｗａの外郭の直線を参照直線Ｌ２として方程式を求める。そして、基準直線Ｌ１と参照直線Ｌ２の直線の方程式から基準直線Ｌ１と参照直線Ｌ２の交点である内角θ１と内角θ２を求める。
【００６２】
このように、傾きを内容物Ｗａの内角から求めるようにすると、外形形状よらず、矩形形状となるべき内容物の輪郭のみから得られる傾きでシール不良の有無を判別することができる。これにより、斜めにシールされてもシールされる幅が同じで基準直線Ｌ１とシール辺とが平行となってしまう場合や、包装材Ｗｐの形状が矩形状でない場合でもシール不良を検出することができる。
【００６３】
次に、分割領域内で傾き算出手段１５にて傾きを算出する具体例（例４）として、図５（ａ）に示すような、例えば４方がシールされた複数のシール辺を持つ長方形状の包装材Ｗｐに内容物が隙間なく収容され透過画像が抽出された場合を例に、図５（ｂ）、（ｃ）を参照して説明する。なお、図５（ａ）の透過画像は、シール部分中央に内容物がはみ出した凸部Ｐ１があるシール不良を示している。
【００６４】
［例４］…外郭直線算出手段１４ａが使用する直線近似の特性により、直線近似を行う外郭の中央付近の凸部は、近似直線の傾きへの影響が小さくなることがある。そのため、図５（ｂ）に示すように、外郭直線算出手段１４ａにて算出する基準直線Ｌ１は、シール部分中央の凸部Ｐ１の影響が小さく、シール辺を参照直線とした参照直線Ｌ２とほぼ平行になってしまう。
【００６５】
このような場合は、図５（ｃ）に示すように、設定入力部５による分割数の設定を２とし、これを基に、シール辺を２つにそれぞれ分けた分割領域を分割領域設定手段２０ａにて設定し、各分割領域ごとに傾きを算出する。
【００６６】
図５（ｃ）では、外形領域抽出手段１２にて抽出した外形領域Ｓ１において、４つの頂点のうち、左上頂点をＡとし、右周りに各頂点をＢ，Ｃ，Ｄとする。また、各シール辺は、辺ＡＢ、辺ＢＣ、辺ＣＤ、辺ＤＡとしており、各辺を横切る１点鎖線で分割した領域を外形分割領域Ｓ１１〜外形分割領域Ｓ１４としている。なお、傾きの算出は辺ＡＢについて説明し、辺ＢＣ、辺ＣＤ、辺ＤＡは、同様となる。
【００６７】
辺ＡＢにおいては、外形分割領域Ｓ１１と外形分割領域Ｓ１２について、分割領域内で傾きを算出する。図５（ｃ）に示すように、参照直線Ｌ２を分割されたシール辺とし、外郭直線算出手段１４ａにて算出した基準直線Ｌ１との傾きを求めると、外形分割領域Ｓ１１では、凸部Ｐ１が外形分割領域Ｓ１１の端になるため、傾きが強調されて算出されることがわかる。
【００６８】
このように、分割領域設定するようにすると、基準直線の長さが長くなるような被検査物や直線近似の特性によりシール辺と傾きが僅かしか現れないような場合であっても、傾きを際立たせることができ、シール不良の検査精度の向上を図ることができる。
【００６９】
なお、設定入力部５からの分割数の指定が、高さと幅方向で共通にして分割領域設定手段０ｂが外形分割領域Ｓ１１〜外形分割領域Ｓ１４を設定するように説明したが、これに限らず、高さと幅方向を別々に指定したり、より細分化して指定したりするなど、包装形態に合った指定とするようにしてもよい
【００７０】
次に、シール検査外領域を設定して傾き算出手段１５にて傾きを算出する具体例（例５）として、図６（ａ）に示すような、例えば４方がシールされた複数のシール辺を持つ長方形状の包装材Ｗｐに内容物が隙間なく収容され透過画像が抽出された場合を例に、図６（ｂ）を参照して説明する。なお、図６（ａ）の透過画像は、シール不良としない凸部Ｐ２を含んだ、シール部分中央に内容物がはみ出した凸部Ｐ１があるシール不良を示している。
【００７１】
また、抽出された透過画像において、４つの頂点のうち、左上頂点をＡとし、右周りに各頂点をＢ，Ｃ，Ｄとする。また、各シール辺は、辺ＡＢ、辺ＢＣ、辺ＣＤ、辺ＤＡとしている
【００７２】
［例５］…図６（ｂ）に示すように、設定入力部５による設定を下方（シール辺ＣＤ）からの高さｈ１とし、これを基に、シール検査外領域設定手段２０ａにてシール検査外領域Ｓ３が設定されている。このため、図３（ｂ）と同様にシール辺を参照直線とした参照直線Ｌ２と外郭直線算出手段１４ａにて算出した基準直線Ｌ１の方程式から傾きを求めると、シール辺ＡＢのシール部分では凸部Ｐ１を検出して傾きがあり、シール不良となる。しかし、シール辺ＤＡのシール部分では、下方の凸部Ｐ２がシール検査外領域Ｓ３内に含まれるため検査対象外となり、シール不良とはならない。なお、シール辺ＤＡ及びシール辺ＢＣのシール検査外領域Ｓ３内に含まれない部分は検査対象となるので、シール辺ＤＡ及びシール辺ＢＣは、シール検査外領域Ｓ３を除いた領域を対象に傾きを求めて検査を行う。
【００７３】
このように、シール検査外領域を設定するようにすると、任意の領域をシール不良の検査から除外すことできるので、シール不良の検査が不要な箇所を持つ被検査物のシール検査など、包装形態に合ったシール不良の検査が可能となり、シール不良の検査の効率化や誤検出低減によるシール不良の検査精度の向上を図ることができる。
【００７４】
なお、設定入力部５から下方からの高さｈ１を指定することにより、シール検査外領域設定手段２０ａがシール検査外領域Ｓ３を設定するように説明したが、これに限らず、例えば、下方から割合い、中央部分の割合や寸法など、包装形態に合った指定とするようにしてもよい
【００７５】
以上のように、本実施の形態のＸ線検査装置１は、シール領域の大きさを指定せずに内容物の噛み込みなどのシール不良を検出するので、包装材に内容物が収容されてシールするときに、包装材の外形から内側方向へシール（接着部分）の大きさにばらつきがあっても、シール不良を検出することができる。
【００７６】
以上、本発明に係るＸ線検査装置及びＸ線検査方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００７７】
１  Ｘ線検査装置
２  搬送装置
２ａ  搬送ベルト
３  Ｘ線発生器
４  Ｘ線検出器
５  設定入力部
６  信号処理部
７  表示部
１１  記憶手段
１２  外形領域抽出手段
１３  内容物領域抽出手段
１４  直線算出手段
１４ａ  外郭直線算出手段
１５  傾き算出手段
１６  シール不良判別手段
２０  領域設定手段
２０ａ  シール検査外領域設定手段
２０ｂ  分割領域設定手段
Ｌ１  基準直線
Ｌ２  参照直線
Ｍ  駆動モータ
Ｓ１  外形領域
Ｓ２  内容物領域
Ｓ３  シール検査外領域
Ｗ  被検査物
Ｗａ  内容物
Ｗｐ  包装材
Ｘ  搬送方向
【図１】
2018141737.tif 000003
【図２】
2018141737.tif 000004
【図３】
2018141737.tif 000005
【図４】
2018141737.tif 000006
【図５】
2018141737.tif 000007
【図６】
2018141737.tif 000008